(57)【特許請求の範囲】
【請求項１】
メガネ装置において、
第１無線通信方式で同期化信号を受信する第１インターフェースモジュールと、
メガネフレームと、
前記同期化信号に応じてディスプレイ装置上に出力される複数のコンテンツのうちの一つのコンテンツと同期化して駆動され、前記メガネフレームに装着される第１および第２グラスと、
第２無線通信方式で前記複数のコンテンツの中から少なくとも一つのコンテンツのオーディオ信号を受信する第２インターフェースモジュールと、
前記第２インターフェースモジュールによって受信された前記少なくとも一つのコンテンツのオーディオ信号を一時保存する保存部と、
前記保存部に保存されたオーディオ信号のうちの一つのコンテンツのオーディオ信号を選択する制御部と、
前記制御部によって選択されたコンテンツのオーディオ信号を出力するオーディオ出力ユニットと
を含み、
前記オーディオ出力ユニットは、前記メガネフレームに統合的に設置され、
前記メガネフレームは、概半円形状のフック形状を有するバンド部を主構造体とし、
前記バンド部の前面部の下側にグラス装着部が連結され、
前記バンド部の両端に胴体部が連結され、
前記オーディオ出力ユニットは、
前記オーディオ信号を処理してオーディオ音響を生成するオーディオデータ処理部と、
前記オーディオ音響を出力する出力部とを含み、
前記オーディオ出力ユニットの前記出力部は、
ユーザの片耳に対応する第１出力部と、
前記ユーザのもう片方の耳に対応する第２出力部とを含み、
前記メガネフレームは、
前記第１および第２グラスが装着されたグラス装着部と、
前記グラス装着部に連結されるバンド部と、
前記バンド部の一端に連結された第１胴体部と、
前記第１胴体部と第１ワイヤとを通じて連結され、前記第１出力部を内蔵し、前記ユーザの片耳に挿入される第１音響放出部と、
前記バンド部の他端に連結される第２胴体部と、
前記第２胴体部と第２ワイヤとを通じて連結され、前記第２出力部を内蔵し、前記ユーザのもう片方の耳に挿入される第２音響放出部とを含み、
前記第１胴体部には、前記メガネ装置の未使用の際、前記第１音響放出部を保管するための第１保管溝が形成され、
前記第２胴体部には、前記メガネ装置の未使用の際、前記第２音響放出部を保管するための第２保管溝が形成される、
ことを特徴とするメガネ装置。
【請求項２】
前記オーディオ出力ユニットは、前記メガネフレームに内蔵されたことを特徴とする請求項１に記載のメガネ装置。
【請求項３】
前記メガネフレームは、
前記第１および第２グラスが装着されたグラス装着部と、
前記グラス装着部と連結されてユーザに着用される着用部と
を含むことを特徴とする請求項１に記載のメガネ装置。
【請求項４】
前記オーディオデータ処理部は、前記第１および第２胴体部のうち何れか一方に内蔵されることを特徴とする請求項１に記載のメガネ装置。
【請求項５】
前記オーディオ出力ユニットは、
充電用バッテリまたは交換用バッテリを電源として備えることを特徴とする請求項１に記載のメガネ装置。
【請求項６】
前記メガネ装置は、
前記ディスプレイ装置から前記オーディオを無線通信方式で受信し、
前記無線通信方式は、ＲＦ、ブルートゥース、Ｚｉｇｂｅｅ（登録商標）および赤外線通信のうち何れか一つを用いることを特徴とする請求項１に記載のメガネ装置。
【発明の詳細な説明】
【技術分野】
【０００１】
本発明は、ディスプレイ映像視聴用のメガネ装置に関する。
【背景技術】
【０００２】
電子技術の発達により、多様な電子製品が開発および普及されている。特に、テレビや携帯電話、パソコン、ノートパソコン、ＰＤＡ等のような各種ディスプレイ装置は、ほとんど一般家庭でも使用されている。
【０００３】
ディスプレイ装置の使用が増えるにつれ、更に多様な機能に対するユーザからの要求も高まっている。それにより、ユーザからの要求に応えるべく、各製造メーカーの取り組みを強化し、３Ｄコンテンツの提供等、従来にはない新たな機能を備えた製品が登場している。
【０００４】
なお、最近では、複数のコンテンツを同時にディスプレイして複数のユーザが異なるコンテンツを視聴することができるディスプレイ装置およびメガネ装置に対する開発努力が進められている。
【０００５】
それにより、ユーザは複数のコンテンツのうち、視聴しようとする一つのコンテンツを選択する場合、そのユーザに選択されたコンテンツのオーディオ音響を提供することができる方策が求められている。
【先行技術文献】
【特許文献】
【０００６】
【特許文献１】韓国特開第２０１２−０１０５２７０号公報
【特許文献２】国際公開特許第２０１１／０６７５７８号
【発明の概要】
【発明が解決しようとする課題】
【０００７】
そこで、本発明は、上記問題に鑑みてなされたものであり、本発明の目的とするところは、ディスプレイ装置がディスプレイする複数のコンテンツのうち、ユーザによって選択されたコンテンツのオーディオ音響をそのユーザに出力することができるメガネ装置を提供することにある。
【課題を解決するための手段】
【０００８】
以上のような目的を達成するための本発明の一実施形態に係るメガネ装置は、第１無線通信方式で同期化信号を受信する第１インターフェースモジュールと、メガネフレームと、前記同期化信号に応じてディスプレイ装置上に出力される前記複数のコンテンツのうちの一つのコンテンツと同期化して駆動され、前記メガネフレームに装着される第１および第２グラスと、第２無線通信方式で前記複数のコンテンツの中から少なくとも一つのコンテンツのオーディオ信号を受信する第２インターフェースモジュールと、前記第２インターフェースモジュールによって受信されたオーディオ信号のうちの一つのコンテンツのオーディオ信号を選択する制御部と、前記制御部によって選択されたコンテンツのオーディオ信号を出力するオーディオ出力ユニットとを含み、前記オーディオ出力ユニットは、前記メガネフレームに統合的に設置されたことを特徴とするメガネ装置を提供する。
【０００９】
前記オーディオ出力ユニットは、前記メガネフレームに内蔵されてよい。
【００１０】
前記オーディオ出力ユニットは、前記オーディオ信号を処理してオーディオ音響を生成するオーディオデータ処理部と、前記オーディオ音響を出力する出力部とを含んでよい。
【００１１】
前記メガネフレームは、前記第１および第２グラスが装着されたグラス装着部と、前記グラス装着部と連結されてユーザに着用される着用部とを含んでよい。
【００１２】
前記オーディオ出力ユニットの前記出力部は、前記ユーザの片耳に対応する第１出力部と、前記ユーザのもう片方の耳に対応する第２出力部とを含み、前記着用部は、前記グラス装着部に連結されるバンド部と、前記バンド部の一端に連結され、前記第１出力部を内蔵し、第１音響放出孔を備えた第１内蔵部と、前記バンド部の他端に連結され、前記第２出力部を内蔵し、第２音響放出孔を備えた第２内蔵部とを含んでよい。
【００１３】
前記第１内蔵部は、前記バンド部の一端に連結された第１胴体部と、前記第１胴体部に装着された第１連結口と、前記第１連結口に設けられて前記第１音響放出孔を有する第１挿入口とを含み、前記第２内蔵部は、前記バンド部の他端に連結された第２胴体部と、前記第２胴体部に装着された第２連結口と、前記第２連結口に設けられて前記第２音響放出孔を有する第２挿入口とを含んでよい。
【００１４】
前記オーディオ出力ユニットの前記出力部は、前記ユーザの片耳に対応する第１出力部と、前記ユーザのもう片方の耳に対応する第２出力部とを含み、前記メガネフレームは、前記第１および第２グラスが装着されるグラス装着部と、前記グラス装着部に連結されるバンド部と、前記バンド部の一端に連結される第１胴体部と、前記第１胴体部と第１ワイヤとを通じて連結され、前記第１出力部を内蔵し、前記ユーザの片耳に挿入される第１音響放出部と、前記バンド部の他端に連結される第２胴体部と、前記第２胴体部と第２ワイヤとを通じて連結され、前記第２出力部を内蔵し、前記ユーザのもう片方の耳に挿入される第２音響放出部とを含んでよい。
【００１５】
前記第１胴体部には、前記メガネ装置の未使用の際、前記第１音響放出部を保管するための第１保管溝が形成され、前記第２胴体部には、前記メガネ装置の未使用の際、前記第２音響放出部を保管するための第２保管溝が形成されてよい。
【００１６】
前記オーディオデータ処理部は、前記第１および第２胴体部のうち何れか一方に内蔵されてよい。
【００１７】
前記オーディオ出力部ユニットは、充電用バッテリまたは交換用バッテリを電源として備えてよい。
【００１８】
前記メガネ装置は、前記ディスプレイ装置から前記オーディオを無線通信方式で受信し、前記無線通信方式は、ＲＦ、ブルートゥース、Ｚｉｇｂｅｅ（登録商標）および赤外線通信のうち何れか一つを用いてよい。
【００１９】
一方、本発明の一実施形態に係るオーディオ出力装置は、複数のコンテンツを組み合わせて出力するマルチビューモードで動作するディスプレイ装置から前記複数のコンテンツのうちの一つのコンテンツのオーディオ信号を受信するインターフェースモジュールと、前記オーディオ信号を処理してオーディオ音響を生成するオーディオデータ処理部と、前記オーディオ音響を出力する出力部と、前記ディスプレイ装置と連動するメガネ装置に着脱自在の連結部とを含むことを特徴とするオーディオ出力装置を提供する。
【００２０】
そして、本発明の別の実施形態に係る複数のコンテンツを組み合わせて出力するマルチビューモードで動作するディスプレイ装置と連動するメガネ装置であって、前記メガネフレームに装着される第１および第２グラスと、前記複数のコンテンツの各々のオーディオデータパケットを受信するためのインターフェースモジュールと、前記複数のコンテンツの中から選択されたコンテンツのオーディオデータパケットが受信されるタイミングに合わせて前記インターフェースモジュールを活性化させる制御部とを含むメガネ装置を提供する。
【００２１】
そして、本発明の一実施形態に係るディスプレイ装置であって、第１コンテンツのビデオデータを処理するための第１ビデオ処理部と、第２コンテンツのビデオデータを処理するための第２ビデオ処理部と、前記第１および第２ビデオ処理部において各々処理されたビデオデータを用いて複数のコンテンツビューを提供するディスプレイ部と、前記第１コンテンツのオーディオデータを処理するための第１オーディオ処理部と、前記第２コンテンツのオーディオデータを処理するための第２オーディオ処理部と、前記第１および第２オーディオ処理部において各々処理されたオーディオデータをパケット化するパケット化部と、前記パケット化部でパケット化された第１オーディオデータパケットおよび第２オーディオデータパケットをメガネ装置に伝送する通信部とを含むディスプレイ装置を提供する。
【００２２】
そして、前記メガネ装置は、前記第２インターフェースモジュールによって選択的に受信された一つのコンテンツに対応するオーディオ信号を一時保存する保存部を更に含んでよい。
【発明の効果】
【００２３】
以上説明したように、本発明によれば、メガネ装置を通じてコンテンツの音響を聴取することができるようになる。
【図面の簡単な説明】
【００２４】
【図１】本発明の第１実施形態に係るコンテンツ提供システムの構成を示す模式図である。
【図２】本発明の第１実施形態に係るメガネ装置を説明するためのブロック図である。
【図３】本発明の第１実施形態に係るメガネ装置を概略的に示す斜視図である。
【図４】本発明の第１実施形態に係るメガネ装置をユーザが着用した様子を概略的に示す図である。
【図５】本発明の第２実施形態に係るメガネ装置を概略的に示す斜視図である。
【図６】本発明の第２実施形態に係るメガネ装置をユーザが着用した様子を概略的に示す図である。
【図７】本発明の第２実施形態に係るメガネ装置の動作を概略的に示す図である。
【図８】本発明の第３実施形態に係るメガネ装置を概略的に示す斜視図である。
【図９】本発明の第３実施形態に係るメガネ装置の動作を概略的に示す図である。
【図１０】本発明の第３実施形態に係るメガネ装置の動作を概略的に示す図である。
【図１１】本発明の第３実施形態に係るメガネ装置の動作を概略的に示す図である。
【図１２】本発明の第３実施形態に係るメガネ装置の動作を概略的に示す図である。
【図１３】本発明の第４実施形態に係るメガネ装置をユーザが着用した様子を概略的に示す図である。
【図１４】本発明の第４実施形態に係るメガネ装置の動作を概略的に示す図である。
【図１５】本発明の一実施形態に係るオーディオ出力装置がメガネ装置に装着される様子を概略的に示す図である。
【図１６】本発明の別の実施形態に係るオーディオ出力装置がメガネ装置に装着される様子を概略的に示す図である。
【図１７】本発明の第５実施形態に係るメガネ装置を概略的に示す斜視図である。
【図１８】本発明の第５実施形態に係るメガネ装置の使用時および未使用時の様子を概略的に示す図である。
【図１９】本発明の第５実施形態に係るメガネ装置の使用時および未使用時の様子を概略的に示す図である。
【図２０】本発明の一実施形態に係るディスプレイ装置の構成を示すブロック図である。
【図２１】複数のコンテンツのオーディオデータを一つのパケットに伝送する実施形態を説明するための図である。
【図２２】複数のコンテンツを各々の個別的なパケットにパケット化して伝送する実施形態を説明するための図である。
【図２３】多様な実施形態によって送信されるオーディオ信号を処理することができるメガネ装置の別の構成例を示す図である。
【図２４】複数のパケット形態で伝送されるオーディオ信号を選択的に受信して処理するメガネ装置の動作を示す図である。
【発明を実施するための形態】
【００２５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２６】
図１は、本発明の第１実施形態に係るコンテンツ提供システムの構成を示す模式図である。
【００２７】
図１に示すように、本システムは、ディスプレイ装置１００とメガネ装置２００とを含む。
【００２８】
ディスプレイ装置１００は、複数のコンテンツを交互にディスプレイし、各コンテンツのディスプレイタイミングに対応する同期化信号をメガネ装置２００に伝送する。なお、ディスプレイ装置１００は、複数のコンテンツに対応するメガネ装置２００に各コンテンツのオーディオ信号を出力する。このようなディスプレイ装置１００は、テレビ、携帯電話、ノートパソコン、タブレットパソコン、電子書籍、デジタルフォトフレーム、キヨスク端末等のようにディスプレイユニットを備えた多様な装置で実現されてよい。
【００２９】
メガネ装置２００は、ディスプレイ装置１００から受信された同期化信号に応じて左眼および右眼シャッタグラスのオープンタイミングを制御する。すなわち、メガネ装置２００は、受信された同期化信号に含まれた情報に応じて、コンテンツがディスプレイされるタイミングの間に、左眼および右眼シャッタグラスをオープンし、複数のコンテンツのうちの一つをコンテンツに対するビデオ映像を見ることができるようにできる。
【００３０】
実施形態により、メガネ装置２００は、ディスプレイ装置１００から受信される同期化信号に応じて、交互にディスプレイされるコンテンツ１ないし４のうち、コンテンツ１がディスプレイされる時点で左眼および右眼シャッタグラスをオープンすることができる。
【００３１】
このように、メガネ装置２００は、コンテンツ１がディスプレイされる時点で左眼および右眼シャッタグラスをオープンさせることにより、メガネ装置２００−１を着用したユーザは、当該メガネ装置２００−１を介してディスプレイ装置１００でディスプレイされる複数のコンテンツのうち、コンテンツ１に対するビデオ映像を見ることができる。
【００３２】
一方、コンテンツ１ないし４を交互にディスプレイするディスプレイ装置１００は、コンテンツ１ないし４がディスプレイされるタイミングに対応してコンテンツ１ないし４に対するオーディオ信号を出力する。したがって、上述の実施形態で、コンテンツ１がディスプレイされる時点で左眼および右眼シャッタグラスをオープンするメガネ装置２００−１はコンテンツ１がディスプレイされるタイミングに対応して出力されるコンテンツ１のオーディオ信号を受信して出力することができる。それにより、ユーザは、自分が着用したメガネ装置２００−１を通じてコンテンツ１に対するビデオ映像を見ながら、同時にコンテンツ１に対するオーディオを聴取することができる。
【００３３】
一方、別のメガネ装置２００−２は、ディスプレイ装置１００から受信される同期化信号に応じて、交互にディスプレイされるコンテンツのうち、コンテンツ３がディスプレイされる時点で左眼および右眼シャッタグラスをオープンすることができる。一方、コンテンツ１ないし４を交互にディスプレイするディスプレイ装置１００は、コンテンツ１ないし４がディスプレイされるタイミングに対応してコンテンツ１ないし４に対するオーディオ信号を出力する。したがって、コンテンツ３がディスプレイされる時点でシャッタグラスをオープンするメガネ装置２００−２は、コンテンツ３がディスプレイされるタイミングに対応して出力されるコンテンツ３のオーディオ信号を受信して出力することができる。それにより、ユーザは自分が着用したメガネ装置２００−２を通じてコンテンツ３に対するビデオ映像を見ることができるだけでなく、コンテンツ３に対するオーディオを聴取することができる。
【００３４】
このようなメガネ装置２００を通じて複数のコンテンツのうちの一つコンテンツに対するビデオ映像を見ているユーザは、自分が着用したメガネ装置２００に備えられた入力ボタンを操作させ、現在視聴中のコンテンツに対するオーディオの大きさを調整することができ、現在視聴中のコンテンツに対するチャネルから別のチャネルに調整したり、或いは、外部機器から提供するコンテンツを視聴するように調整することができる。
【００３５】
一方、上述のコンテンツは２Ｄコンテンツであってよく、３Ｄコンテンツであってよい。３Ｄコンテンツとは、同一の客体（Ｏｂｊｅｃｔ）を互いに異なる観点から表現した多時点映像を用いてユーザが立体感を感じられるようにするコンテンツのことを意味する。
【００３６】
これまで、複数のコンテンツを提供するディスプレイ装置１００およびディスプレイ装置１００から提供される複数のコンテンツを視聴するためのメガネ装置２００とを含むシステムに対して概略に説明してきた。
【００３７】
しかし、本発明はこれに限定されず、偏光グラス方式（または、パッシブ方式）のディスプレイ装置の場合にも適用されてよい。
【００３８】
偏光グラス方式のディスプレイ装置は、複数のコンテンツの各フレームをライン単位で区分し、区分された各ラインを組み合わせて一つのフレームを構成する。仮に、二つのコンテンツを利用する場合なら、第１コンテンツのフレームを複数の第１ライオンに区分し、第２コンテンツのフレームを複数の第２ラインに各々区分する。そして、第１ラインのうちの奇数ラインと第２ラインのうちの偶数ラインとを組み合わせて第1フレームを生成し、第１ラインのうちの偶数ラインと第２ラインのうちの奇数ラインとを組み合わせて第２フレームを生成する。偏光グラス方式のディスプレイ装置は、第１フレームおよび第２フレームを順次ディスプレイする。偏光グラス方式のディスプレイ装置は、レンチキュラーレンズやパララックスバリアを用いて各ラインの偏光方向を調整する。それにより、左眼および右眼グラスがすべて第１偏光方向で実現された第１メガネ装置においては、第１フレームの奇数ラインと第２フレームの偶数ラインを見ることができるようになり、左眼および右眼グラスがすべて第１偏光方向に垂直した第２偏光方向に実現された第２メガネ装置においては、第１フレームの偶数ラインと第２フレームの奇数ラインを見ることができるようになる。
【００３９】
このように、偏光グラス方式のディスプレイ装置と連動するメガネ装置においては、アクティブシャッタグラス、シャッタグラス駆動部、第１通信部を含まなくてよい。具体的には、偏光方式のシステムに使われるメガネ装置は、第１および第２グラスと、これらグラスが装着されるメガネフレームと、コンテンツのオーディオ信号を受信するインターフェースモジュールと、インターフェースモジュールで受信された少なくとも一つのコンテンツのオーディオ信号を一時保存するバッファユニットと、バッファユニットに保存されたオーディオ信号のうち一つのコンテンツのオーディオ信号を選択する制御部と、制御部によって選択されたコンテンツのオーディオ信号を出力するオーディオ出力ユニットとを含む形態で実現されてよい。ここで、インターフェースモジュールは、多様な通信方式でオーディオ信号を受信することができる。一例として、ＲＦ無線通信モジュールが使われてよい。なお、オーディオ出力ユニットは、メガネフレームに統合的に設けられてよい。オーディオ出力ユニットがメガネフレームに設けられる多様な形態に対しては、図とともに詳細に後述する。
【００４０】
以上のように、偏光方式のディスプレイ装置では、各コンテンツをラインバイライン（Ｌｉｎｅ  Ｂｙ  Ｌｉｎｅ）方式で一つの画面に同時に出力する。この場合、メガネ装置は、偏光メガネ装置が使われ、複数のユーザの各々は、自分が着用した偏光メガネ装置を通じて各々のコンテンツに対するビデオ映像を見ることができる。上述のように、各々の偏光メガネ装置は、オーディオモジュールが内蔵されており、パッシブ方式でもユーザはメガネ装置を着用した状態で特定コンテンツに対するビデオ映像およびそれに対応するオーディオ音響を視聴することができることは勿論である。
【００４１】
なお、本発明はマルチビューモードに限定されず、シングルビュー（一つのコンテンツを視聴）モード、特に３Ｄコンテンツをシングルビューモードで視聴する場合にも適用可能である。
【００４２】
以下、本発明の第１実施形態に係るメガネ装置のオーディオモジュールを説明する。
【００４３】
図２は、本発明の第１実施形態に係るメガネ装置を説明するためのブロック図である。図２に示すように、図２のメガネ装置２００は、複数のコンテンツを組み合わせて出力するマルチビューモードで動作するディスプレイ装置（図１の１００）と連動して、入力部２７１と、処理部２７２と、シャッタグラス部２７６と、電源部２７８およびオーディオモジュール２８０を含む。
【００４４】
入力部２７１には、多様なユーザ命令が入力されてよい。
【００４５】
具体的に、入力部２７１は、メガネ装置２００の電源オン／オフ命令、ディスプレイ装置（図１の１００）とのペアリング実行のためのペアリング命令、コンテンツビュー切り替え命令、プライベートまたはパブリックモード設定のためのモード設定命令、３Ｄモードまたはデュアルビューモード設定命令、メガネ装置２００のオーディオ音量調節のための調節命令等が入力されてよい。
【００４６】
例えば、入力部２７１は、タッチセンサ、操作ボタン、スライドスイッチの少なくとも何れか一つの形態で実現可能である。処理部２７２は、第１インターフェースモジュール２７３と、映像データ処理部２７４およびオーディオモジュール２８０を構成する第２インターフェースモジュール２８２と、バッファユニット２８３と、制御部２８４およびオーディオデータ処理部２８６を含む。第２インターフェースモジュール２８２と、バッファユニット２８３と、制御部２８４およびオーディオデータ処理部２８６は、下記のオーディオモジュール２８０の説明箇所で詳細に説明する。一方、第２インターフェースモジュール２８２と、バッファユニット２８３および制御部２８４は、オーディオモジュール２８０内に含まれず、メガネ装置２００内に別途に備えられてよい。
【００４７】
第１インターフェースモジュール２７３は、複数のコンテンツを組み合わせて出力するマルチビューモードで動作するディスプレイ装置から前記複数のコンテンツのうちの一つのコンテンツの映像データの同期化信号を受信することができる。そのために、第１インターフェースモジュール２７３は、インターフェース部２７３−１と受信部２７３−２を含んでよい。
【００４８】
インターフェース部２７３−１は、ディスプレイ装置から同期化信号を受信する。
【００４９】
例えば、インターフェース部２７３−１がブルートゥース通信モジュールで実現される場合、ディスプレイ装置（図１の１００）とブルートゥース通信規格による通信を行い、同期化信号が含まれた伝送ストリームを受信することができる。この場合、伝送ストリームは各コンテンツのディスプレイタイミングで同期化してメガネ装置２００の第１シャッタグラス部２７６−２および第２シャッタグラス部２７６−３をオンまたはオフさせるための時間情報を含み、メガネ装置２００は自分のメガネ装置に対応するディスプレイタイミングに応じてシャッタグラスをオンまたはオフさせることができる。
【００５０】
一方で、インターフェース部２７３−１は、ＩＲ受信モジュールで実現され、特定周波数を有する赤外線形態の同期化信号を受信することができる。この場合には、複数のコンテンツのうちの一つのコンテンツのディスプレイタイミングで同期化されるようにメガネ装置２００の第１シャッタグラス部２７６−２および第２シャッタグラス部２７６−３をオンまたはオフさせるための時間情報を含む。なお、インターフェース部２７３−１は、スイッチングモードが開始されると、相違なる周波数を有するＩＲ同期化信号を順次受信し、スイッチングモードが終了すると、終了した時点で受信されていたＩＲ同期化信号を受信することができる。
【００５１】
一方、インターフェース部２７３−１は、図１のディスプレイ装置１００から各コンテンツに対する映像フレームレート（Ｒａｔｅ）、映像フレーム周期に対する情報を受信することもできる。
【００５２】
受信部２７３−２は、インターフェース部２７３−１とディスプレイ装置との通信を通じてディスプレイ装置からの映像データの同期化信号を受信する。
【００５３】
映像データ処理部２７４は、受信部２７３−２で受信された同期化信号をシャッタグラス駆動部２７６−１に伝達し、シャッタグラス駆動部２７６−１の動作を制御する。すなわち、映像データ処理部２７４は、同期化信号に基づいて、第１シャッタグラス部２７６−２および第２シャッタグラス部２７６−３を駆動させるための駆動信号が生成されるように、シャッタグラス駆動部２７６−１を制御する。
【００５４】
シャッタグラス部２７６は、シャッタグラス駆動部２７６−１と、第１シャッタグラス部２７６−２および第２シャッタグラス部２７６−３を含む。
【００５５】
シャッタグラス駆動部２７６−１は、映像データ処理部２７４から受信された同期化信号に基づいて駆動信号を生成する。特に、シャッタグラス駆動部２７６−１は同期化信号に基づいて、図１のディスプレイ装置１００にディスプレイされる複数のコンテンツのうちの一つのコンテンツのディスプレイタイミングに応じて第１シャッタグラス部２７６−２および第２シャッタグラス部２７６−３をオープンさせることができる。
【００５６】
第１シャッタグラス部２７６−２および第２シャッタグラス部２７６−３は、シャッタグラス駆動部２７６−１から受信された駆動信号に応じてオン／オフされてよい。具体的に、第１シャッタグラス部２７６−２および第２シャッタグラス部２７６−３は、複数のコンテンツのうちの一つのコンテンツがディスプレイされる際、シャッタグラスを同時にオープンし、他のコンテンツがディスプレイされる際、シャッタグラスのすべてをオフする。それにより、メガネ装置２００を着用したユーザは一つのコンテンツのみを視聴することができるようになる。
【００５７】
一方、３Ｄコンテンツの場合、第１シャッタグラス部２７６−２および第２シャッタグラス部２７６−３は各々のグラスを交互に開閉することができる。すなわち、駆動信号に応じて一つの３Ｄコンテンツを構成する左眼映像がディスプレイされるタイミングで第１シャッタグラス部２７６−２を開放し、右眼映像がディスプレイされるタイミングで第２シャッタグラス部２７６−３を開放することができる。
【００５８】
電源部２７８は、メガネ装置２００に電源を供給するものとして、メガネ装置２００内に別途のバッテリとして内蔵されてよく、充電型または交換型で備えられてよい。なお、メガネ装置２００には、外部電源から電源部２７８が充電できるようにＵＳＢポート等のコネクタが備えられてよい。
【００５９】
オーディオモジュール２８０は、第２インターフェースモジュール２８２と、バッファユニット２８３と、制御部２８４およびオーディオ出力ユニット２８５を含む。上述のように、第２インターフェースモジュール２８２と、バッファユニット２８３および制御部２８４は、オーディオモジュール２８０に含まれなくてよい。
【００６０】
第２インターフェースモジュール２８２は、複数のコンテンツを組み合わせて出力するマルチビューモードで動作するディスプレイ装置から前記複数のコンテンツに対応するオーディオデータを受信することができる。第２インターフェースモジュール２８２は、インターフェース部２８２−１および受信部２８２−２を含んでよい。インターフェース部２８２−１は、ディスプレイ装置と通信を行う。インターフェース部２８２−１はＲＦ通信モジュールで実現されてよい。この場合、インターフェース部２８２−１は、チューナを含んでよい。受信部２８２−２は、インターフェース部２８２−１を介して受信されるＲＦ信号を処理するための復調部と、等化部等を含んでよい。または、第２インターフェースモジュール２８２のインターフェース部２８２−１はブルートゥース通信モジュールで実現されてよい。この場合、インターフェース部２８２−１はディスプレイ装置とブルートゥース通信を通じてオーディオデータの同期化信号を受信することができる。インターフェース部２８２−１は、ブルートゥース方式の他にも、ブルートゥース（Ｂｌｕｅｔｏｏｔｈ（登録商標））、Ｚｉｇｂｅｅおよび赤外線通信（ＩＲ：Ｉｎｆｒａ  Ｒｅｄ）等の通信方式を用いてよく、その他の近距離から通信チャネルを形成して信号を送受信できる多様な無線通信方式によって通信を行うことができることは勿論である。なお、その他の有線方式の通信として、ディスプレイ装置と通信も可能である。一方、インターフェース部２８２−１は、上述の第１インターフェースモジュール２７３のインターフェース部２７３−１と統合形成されることも可能である。
【００６１】
受信部２８２−２は、インターフェース部２８２−１とディスプレイ装置が連結されると、ディスプレイ装置からの各種信号を受信する。具体的には、オーディオデータを含む信号を受信することができる。このように、第２インターフェースモジュール２８２は、実施形態に応じて複数のコンテンツの少なくとも何れか一つのコンテンツに対応するオーディオ信号を受信することができる。
【００６２】
バッファユニット２８３は、第２インターフェースモジュール２８２によって受信されたオーディオ信号を一時保存する。
【００６３】
制御部２８４は、バッファユニット２８３に保存されたオーディオ信号を選択的にオーディオ出力ユニット２８５に提供する。図２においては、オーディオ信号が制御部２８４を介してオーディオ出力ユニット２８５から提供されるように示されたが、実際のデータはオーディオ出力ユニット２８５に直接提供されてよく、別途に設けられたデータバスを通じて提供されてよい。
【００６４】
オーディオ出力ユニット２８５は、オーディオデータ処理部２８６および出力部２８７を含む。
【００６５】
オーディオデータ処理部２８６は、受信されたオーディオデータを処理してオーディオ音響を生成する。具体的には、オーディオデータ処理部２８６は、オーディオデコード、ノイズフィルタリング、増幅等のようなオーディオ信号処理を行うことができる。
【００６６】
出力部２８７は、オーディオデータ処理部２８６から生成されたオーディオ音響を出力するための構成要素である。出力部２８７は、第１および第２駆動部２８８−１、２８９−１と、第１および第２出力部２８８−２、２８９−２を含んでよい。第１駆動部２８８−１は第１出力部２８８−２を駆動し、第２駆動部２８９−１は第２出力部２８９−２を駆動することができる。
【００６７】
第１および第２出力部２８８−２、２８９−２は、各々ユーザの両耳に対応する。例えば、第１出力部２８８−２は、ユーザの左耳にオーディオ音響を出力し、第２出力部２８９−２は、ユーザの右耳にオーディオ音響を出力する。
【００６８】
オーディオデータの送信および受信動作とその処理に対する細部動作については、明細書の後半で実施形態によって具体的に説明する。
【００６９】
その他に、本実施形態に係るメガネ装置２００は示されてはいないが、制御部を含んでよく、制御部はメガネ装置２００の動作全般を制御するようになる。
【００７０】
図３は、本発明の第１実施形態に係るメガネ装置を概略的に示す斜視図である。図４は、本発明の第１実施形態に係るメガネ装置をユーザが着用した様子を概略的に示す図である。
【００７１】
図３および図４を参照すると、メガネ装置２００は、左眼および右眼グラス２２２、２２４と、メガネフレーム２１０および上述のオーディオモジュール２８０（図２を参照）を含む。
【００７２】
第１および第２グラス２２２、２２４は、同期化信号に応じて駆動され、複数のコンテンツの中から選択された一つのコンテンツのビデオ映像に対応する光をユーザの眼に向かって透過させる。第１および第２グラス２２２、２２４は、同時にターンオンおよびターンオフされる。それにより、ユーザは、第１および第２グラス２２２、２２４を介して選択されたコンテンツのビデオ映像を見ることができる。本実施形態において、第１および第２グラス２２２、２２４は概四角であるものとして例示されているが、円や楕円等の別の形状を有してよい。
【００７３】
メガネフレーム２１０は、メガネ装置２００の全体的な外観をなし、一般の眼鏡フレームの形状と類似している。
【００７４】
メガネフレーム２１０は、グラス装着部２２０と、着用部２３０を含む。
【００７５】
グラス装着部２２０には、上述の第１および第２グラス２２２、２２４が装着される。
【００７６】
着用部２３０は、バンド部２４０と、第１内蔵部２５０および第２内蔵部２６０を含む。
【００７７】
バンド部２４０は、着用時にユーザの頭を包み込めるように概半円形状のフック形状を有し、前面部の下側でグラス装着部２２０と連結される。
【００７８】
第１内蔵部２５０は、バンド部２４０の一端に連結され、第２内蔵部２６０はバンド部２４０の他端に連結される。よって、第１および第２内蔵部２５０、２６０は、メガネ装置２００の着用時にユーザの頭の側面および裏面を支持する。
【００７９】
第１内蔵部２５０は、バンド部２４０の一端に連結された第１胴体部２５２と、第１胴体部２５２に装着されて第１音響放出孔２３３を有する第１音響放出部２５４を含む。
【００８０】
第２内蔵部２６０は、バンド部２４０の他端に連結された第２胴体部２６２と、第２胴体部２６２に装着されて第２音響放出孔２３５を有する第２音響放出部２６４を含む。
【００８１】
第１および第２音響放出部２５４、２６４は、第１および第２胴体部２５２、２６２と各々一体型で形成される。しかし、代案としての別の実施形態において、第１および第２音響放出部２５４、２６４は第１および第２胴体部２５２、２６２と分離した構成であってよい。
【００８２】
第１および第２音響放出部２５４、２６４は、各々第１および第２胴体部２５２、２６２の下方に突出して形成され、メガネ装置２００の外側へ斜めに形成される。それを通じて、第１および第２音響放出部２５４、２６４はユーザがメガネ装置２００の着用時に第１および第２音響放出孔２３３、２３５を通じてユーザに伝達されるオーディオ音響をユーザの耳介側に重点的に送ることができるようになる。
【００８３】
メガネ装置２００の着用時に、第１および第２音響放出部２５４、２６４はユーザの両耳に対応する位置に配置される。そうすることで、ユーザは第１および第２音響放出部２５４、２６４の第１および第２音響放出孔２３３、２３５を通じて放出される選択されたコンテンツのオーディオ音響を聴取することができるようになる。
【００８４】
オーディオモジュール２８０（図２を参照）は、第２インターフェースモジュール２８２と、バッファユニット２８３と、制御部２８４およびオーディオ出力ユニット２８５を含むことは上述したとおりである。
【００８５】
このようなオーディオモジュール２８０は、全体的にメガネ装置２００のメガネフレーム２１０に統合して設置される。より具体的に、オーディオモジュール２８０は全体的にメガネ装置２００のメガネフレーム２１０内に内蔵される。すなわち、オーディオモジュール２８０を構成する第２インターフェースモジュール２８２と、バッファユニット２８３と、制御部２８４およびオーディオ出力ユニット２８５は、いずれもメガネフレーム２１０内に内蔵される。
【００８６】
本実施形態において、出力部２８７の第１出力部２８８−２は第１音響放出部２５４に内蔵され、出力部２８７の第２出力部２８９−２は第２音響放出部２６４に内蔵され、第２インターフェースモジュール２８２と、バッファユニット２８３と、制御部２８４およびオーディオ出力ユニット２８５は、第１および第２胴体部２５２、２６２の何れか一方に内蔵されてよい。代案としての別の実施形態で、第２インターフェースモジュール２８２と、バッファユニット２８３と、制御部２８４およびオーディオ出力ユニット２８５は、第１および第２音響放出部２５４、２６４の何れか一方に各々内蔵されてよい。
【００８７】
以下、本発明の第２実施形態に係るメガネ装置を説明すると、以下のようになる。
【００８８】
図５は、本発明の第２実施形態に係るメガネ装置を概略的に示す斜視図である。図６は、本発明の第２実施形態に係るメガネ装置をユーザが着用した様子を概略的に示す図である。図７は、本発明の第２実施形態に係るメガネ装置の動作を概略的に示す図である。
【００８９】
第２実施形態に係るメガネ装置３００は、上述の実施形態のメガネ装置２００と類似している。したがって、類似の構成に対しては繰り返し説明を省略し、相違点を着目して説明する。
【００９０】
本実施形態によると、メガネ装置３００は、第１および第２グラス３２２、３２４と、メガネフレーム３１０および上述のオーディオモジュール２８０（図２を参照）を含む。
【００９１】
第１および第２グラス３２２、３２４の構成および動作に対しては、上述の別の実施形態において説明しているため、繰り返し説明は省略する。
【００９２】
メガネフレーム３１０は、グラス装着部３２０と着用部３３０とを含む。
【００９３】
着用部３３０は、グラス装着部３２０と連結されるバンド部３４０と、バンド部３４０の一端に連結される第１内蔵部３５０と、バンド部３４０の他端に連結される第２内蔵部３６０とを含む。
【００９４】
第１内蔵部３５０は、第１胴体部３５２と第１音響放出部３５４を含み、第２内蔵部３６０は、第２胴体部３６２と第２音響放出部３６４を含む。
【００９５】
第１および第２音響放出部３５４、３６４は、各々第１および第２音響放出孔３３３、３３５を含む。
【００９６】
第１および第２音響放出部３５４、３６４は、各々第１および第２胴体部３５２、３６２に回動自在に装着される。第１および第２音響放出部３５４、３６４の回動方向はメガネ装置着用時のユーザの頭を基準とする際、ユーザの頭の側面と平行した方向である。第１および第２音響放出部３５４、３６４は、上部の一側が第１および第２胴体部３５２、３６２から回動が可能な構造、例えば、ヒンジ構造等で結合され、第１および第２音響放出部３５４、３６４の回動が行われてよい。
【００９７】
本実施形態に係るメガネ装置は、図７に示すように、第２音響放出部３６４が矢印方向に回動可能である。したがって、本実施形態のメガネ装置３００を着用したユーザは、自分の耳の位置を考慮して所望のオーディオ音響がよく聞こえるように、第２音響放出部３６４の位置を調節することができる。図示はされていないが、第１音響放出部も回動を通じた位置調節が可能である。
【００９８】
第１および第２音響放出部３５４、３６４は、第１実施形態の第１および第２音響放出部より長く形成されることが望ましい。第１および第２音響放出部３５４、３６４の長さはメガネ装置３００の着用時に第１および第２音響放出孔３３３、３３５がユーザの耳孔に対応する位置に配置できるくらいで十分である。
【００９９】
オーディオモジュール２８０（図２を参照）は、第２インターフェースモジュール２８２と、バッファユニット２８３と、制御部２８４およびオーディオ出力ユニット２８５を含むことは上述したとおりである。
【０１００】
このようなオーディオモジュール２８０は、全体的にメガネ装置３００のメガネフレーム３１０に統合的に設置される。より詳細には、オーディオモジュール２８０は、全体的にメガネ装置３００のメガネフレーム３１０内に内蔵される。すなわち、オーディオモジュール２８０を構成する第２インターフェースモジュール２８２と、バッファユニット２８３と、制御部２８４およびオーディオ出力ユニット２８５は、いずれもメガネフレーム３１０内に内蔵される。
【０１０１】
本実施形態において、出力部２８７の第１出力部２８８−２は第１音響放出部３５４に内蔵され、出力部２８７の第２出力部２８９−２は第２音響放出部３６４に内蔵され、第２インターフェースモジュール２８２と、バッファユニット２８３と、制御部２８４およびオーディオ出力ユニット２８５は、第１および第２胴体部３５２、３６２の何れか一方に内蔵されてよい。代案としての別の実施形態で、第２インターフェースモジュール２８２と、バッファユニット２８３と、制御部２８４およびオーディオ出力ユニット２８５は、第１および第２音響放出部３５４、３６４の何れか一方に各々内蔵されてよい。
【０１０２】
本実施形態のメガネ装置３００は、ユーザがメガネ装置３００を着用する場合、第１および第２音響放出孔３３３、３３５がユーザの耳孔に対応する近接した位置に配置されるため、複数のユーザがディスプレイ装置でマルチビューを視聴する場合、特定コンテンツを視聴する各ユーザが別のユーザのコンテンツから音漏れするオーディオ音響に妨害を受けることなく、自分が視聴するコンテンツのオーディオ音響を聞くことができるようになる。
【０１０３】
以下、本発明の第３実施形態に係るメガネ装置を説明すると以下のようになる。
【０１０４】
図８は、本発明の第３実施形態に係るメガネ装置を概略的に示す斜視図である。図９ないし１２は、本発明の第３実施形態に係るメガネ装置の動作を概略的に示す図である。
【０１０５】
第３実施形態に係るメガネ装置４００は、上述の実施形態のメガネ装置２００と類似している。したがって、類似の構成に対しては繰り返し説明を省略し、相違点を着目して説明する。
【０１０６】
メガネ装置４００は、第１および第２グラス４２２、４２４と、メガネフレーム４１０および上述のオーディオモジュール２８０（図２を参照）を含む。
【０１０７】
第１および第２グラス４２２、４２４の構成および動作は、上述の多様な実施形態において説明しているため、繰り返し説明は省略する。
【０１０８】
メガネフレーム４１０は、グラス装着部４２０と着用部４３０とを含む。
【０１０９】
グラス着用部４２０には、上述の第１および第２グラス４２２、４２４が装着される。
【０１１０】
着用部４３０は、バンド部４４０と、第１内蔵部４５０と、第２内蔵部４６０とを含む。
【０１１１】
バンド部４４０は、着用時にユーザの頭を包み込めるように概半円形状のフック形状を有し、前面部の下側でグラス装着部２２０と連結される。
【０１１２】
第１内蔵部４５０は、バンド部４４０の一端に連結された第１胴体部４５２と、第１胴体部４５２に装着された第１連結口４５４および第１連結口４５４に設置されて第１音響放出孔４３３を有する第１挿入口４５６を含む。
【０１１３】
第２内蔵部４６０は、バンド部４４０の他端に連結された第２胴体部４６２と、第２胴体部４６２に装着された第２連結口４６４および第２連結口４６４に設置されて第２音響放出孔４３５を有する第２挿入口４６６を含む。
【０１１４】
第１および第２連結口４５４、４６４は、第１および第２胴体部４５２、４６２に回動自在に装着され、第１および第２連結口４５４、４６４の回動方向はメガネ装置着用時にユーザの頭を基準とする際、ユーザの頭の側面と平行した方向であってよい。
【０１１５】
第１および第２挿入口４５６、４６６は、各々第１および第２連結口４５４、４６４に対して回動自在に装着される。ここで、第１連結口４５４の回動軸と第１挿入口４５６の回動軸とは互いに直交しており、第２連結口４６４の回動軸と第２挿入口４６６の回動軸とは互いに直交する。すなわち、第１および第２挿入口４５６、４６６の回動方向は、メガネ装置の着用時のユーザの頭を基準とする際、ユーザの頭の前後面と平行した方向である。
【０１１６】
そして、第１および第２挿入口４５６、４６６は、前記第１および第２連結口４５４、４６４に対してスライド自在に装着され、第１および第２挿入口４５６、４６６のスライド方向は、前記第１および第２挿入口４５６、４６６の回動軸と並んでいる方向である。第１および第２挿入口４５６、４６６のスライドは、後述の図１２に示すスライド部材４６８によって可能である。
【０１１７】
図９および図１０に示すように、メガネ装置４００は、第２挿入口４６６がユーザの耳孔側方向に回動が可能である。図１０には、第２挿入口４６６がユーザの耳孔側に回動された様子が示されている。図１１には、第２連結口４６４の回動が示されている。第２連結口４６４は、矢印方向に沿って回動可能である。図１２には、第２挿入口４６６のスライドが示されている。第２挿入口４６６は、スライド部材４６８を通じて矢印方向にスライドが可能である。ユーザは、上述の各構成による回動およびスライドを通じて自分が望む位置に第１および第２挿入口４５６、４６６を位置させてオーディオ音響を聞くことができ、各回動およびスライドはユーザの必要に応じてランダムに行われてよく、動作順もユーザの必要に応じてランダムに行われてよい。
【０１１８】
第１および第２挿入口４５６、４６６は、メガネ装置の着用時にユーザの耳孔内に挿入される。それは、オーディオ音響をイヤホン等で聴取するのと類似している。したがって、本実施形態に係るメガネ装置４００は、ユーザがメガネ装置４００から音漏れするオーディオ音響を他のユーザに妨害されることなく聞くことができ、当該ユーザも他のユーザに自分のオーディオ音響によって迷惑をかける心配が低減する。
【０１１９】
オーディオモジュール２８０（図２を参照）は、第２インターフェースモジュール２８２と、バッファユニット２８３と、制御部２８４およびオーディオ出力ユニット２８５を含むことは、上述したとおりである。
【０１２０】
このようなオーディオモジュール２８０は、全体的にメガネ装置４００のメガネフレーム４１０に統合して設置される。より具体的に、オーディオモジュール２８０は全体的にメガネ装置４００のメガネフレーム４１０内に内蔵される。すなわち、オーディオモジュール２８０を構成する第２インターフェースモジュール２８２と、バッファユニット２８３と、制御部２８４およびオーディオ出力ユニット２８５は、いずれもメガネフレーム２１０内に内蔵される。
【０１２１】
本実施形態において、出力部２８７の第１出力部２８８−２は第１連結口４５４に内蔵され、出力部２８７の第２出力部２８９−２は第２連結口４６４に内蔵され、第２インターフェースモジュール２８２と、バッファユニット２８３と、制御部２８４およびオーディオ出力ユニット２８５は、第１および第２胴体部４５２、４６２の何れか一方に内蔵されてよい。代案としての別の実施形態で、第２インターフェースモジュール２８２と、バッファユニット２８３と、制御部２８４およびオーディオ出力ユニット２８５は、第１および第２連結口４５４、４６４の何れか一方に各々内蔵されてよい。
【０１２２】
以下、本発明の第４実施形態に係るメガネ装置を説明すると以下のようになる。
【０１２３】
図１３は、本発明の第４実施形態に係るメガネ装置をユーザが着用した様子を概略的に示す図である。図１４は、本発明の第４実施形態に係るメガネ装置の動作を概略的に示す図である。
【０１２４】
第４実施形態に係るメガネ装置５００は、上述の実施形態のメガネ装置２００と類似している。したがって、類似の構成に対しては繰り返し説明を省略し、相違点を着目して説明する。
【０１２５】
図１３および図１４は、メガネ装置５００の側面のみが示されているが、図に示されていない反対側面も上述の実施形態でのように、図に示された側面部に対応する形状で構成されている。
【０１２６】
図１３および図１４に示すように、本実施形態に係るメガネ装置５００は、第１および第２グラスと、メガネフレーム５１０および上述のオーディオモジュール２８０（図２を参照）を含む。
【０１２７】
第１および第２グラスの構成および動作は、上述の多様な実施形態において説明しているため、繰り返し説明は省略する。
【０１２８】
メガネフレーム５１０は、グラス装着部５２０と着用部５３０とを含む。
【０１２９】
着用部５３０は、バンド部５４０と、第１および第２内蔵部５６０とを含む。
【０１３０】
第１および第２内蔵部５６０は、バンド部５４０に対してスライド自在に装着される。ユーザは、メガネ装置５００の位置調節時に第１および第２内蔵部５６０をスライドさせて所望の位置を調節することが可能である。
【０１３１】
第１および第２内蔵部５６０は、第１および第２音響放出部５６４と第１および第２挿入口５６６を含む。
【０１３２】
第１および第２挿入口５６６は、第１および第２音響放出部５６４の下側に装着され、着用時にユーザの耳孔に直接挿入される方向に突出して形成される。
【０１３３】
本実施形態のメガネ装置５００は、ユーザのメガネ装置５００の着用時にグラス装着部５２０がユーザの鼻筋に固定され、第１および第２挿入口５６６がユーザの耳孔の中に挿入される。すなわち、本実施形態のメガネ装置５００は聴診器と類似の形態で構成される。
【０１３４】
オーディオモジュール２８０（図２を参照）は、第２インターフェースモジュール２８２と、バッファユニット２８３と、制御部２８４およびオーディオ出力ユニット２８５を含むことは、上述したとおりである。
【０１３５】
このようなオーディオモジュール２８０は、全体的にメガネ装置５００のメガネフレーム５１０に統合して設置される。より具体的に、オーディオモジュール２８０は、全体的にメガネ装置５００のメガネフレーム５１０内に内蔵される。すなわち、オーディオモジュール２８０を構成する第２インターフェースモジュール２８２と、バッファユニット２８３と、制御部２８４およびオーディオ出力ユニット２８５は、いずれもメガネフレーム５１０内に内蔵される。
【０１３６】
本実施形態において、出力部２８７の第１出力部２８８−２および第２出力部２８９−２は、各々第１および第２音響放出部５６４に内蔵され、第２インターフェースモジュール２８２と、バッファユニット２８３と、制御部２８４およびオーディオ出力ユニット２８５は、第１および第２音響放出部５６４の何れか一方に内蔵されてよい。
【０１３７】
以下、本発明の一実施形態に係るオーディオ出力装置とオーディオ出力装置が装着されるメガネ装置を説明すると次のようになる。
【０１３８】
上述の実施形態と類似の構成に対しては、繰り返し説明を省略し、相違点に着目して説明する。
【０１３９】
図１５は、本発明の一実施形態に係るオーディオ出力装置がメガネ装置に装着される様子を概略的に示す図であり、図１６は、本発明の別の実施形態に係るオーディオ出力装置がメガネ装置に装着される様子を概略的に示す図である。
【０１４０】
図１５によると、本実施形態に係るオーディオ出力装置７００は、図２において説明したオーディオモジュール２８０（図２を参照）を内蔵する。すなわち、オーディオ出力装置７００は、複数のコンテンツを組み合わせて出力するマルチビューモードで動作するディスプレイ装置から複数のコンテンツのうちの一つのコンテンツのオーディオデータを受信するオーディオデータ受信部２８２と、オーディオデータを処理してオーディオ音響を生成するオーディオデータ処理部２８４およびオーディオ音響を出力する出力部２８６を含んでよい。
【０１４１】
オーディオ出力装置７００は、マルチビューモードをサポートするディスプレイ装置と連動するメガネ装置６００に着脱自在の連結部７１０を含む。
【０１４２】
連結部７１０は、複数の突出したリブ状に構成されてよい。
【０１４３】
メガネ装置６００には、連結部７１０と結合され、オーディオ出力装置７００が装着できるように装着部６１０を含む。
【０１４４】
装着部６１０は、連結部７１０が嵌められるようにリブ状に対応する複数の溝形状で構成されてよい。
【０１４５】
メガネ装置６００には、装着部６１０が着用時にユーザの耳の位置に対応する位置に複数設けられ、二つのオーディオ出力装置７００が一つのメガネ装置６００に装着されることが望ましいが、一つまたは三つ以上のオーディオ出力装置７００が装着されるように装着部６１０が設けられてよい。
【０１４６】
オーディオ出力装置７００は、連結部７１０がメガネ装置６００の装着部６１０に嵌められることにより、メガネ装置６００に装着されてよく、必要に応じてメガネ装置６００で着脱も可能である。
【０１４７】
図１６によると、本実施形態の別のオーディオ出力装置９００は、連結部９１０がフック上に形成されてよい。
【０１４８】
この場合、メガネ装置８００にオーディオ出力装置９００の装着時に連結部９１０がメガネ装置８００を包む形態で嵌着されてよく、着脱も可能であってよい。
【０１４９】
しかし、本実施形態にオーディオ出力装置９００は、連結部９１０がそれに限られるものではなく、オーディオ出力装置９００がメガネ装置８００に着脱自在に装着されるものなら十分である。
【０１５０】
一方、上述の本発明の多様な実施形態に係る方法を行うためのプログラムは、多様な記録媒体に保存されて使われてよい。
【０１５１】
具体的には、上述の電源提供方法を行なうためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読み込み可能な多様な記録媒体に保存されていてよい。
【０１５２】
図１７は、本発明の第５実施形態に係るメガネ装置を概略的に示す斜視図である。
【０１５３】
図１７を参照すると、メガネ装置１０００は、第１グラス１０１０と、第２グラス１０２０と、メガネフレーム１１００および上述のオーディオモジュール２８０（図２を参照）を含む。
【０１５４】
メガネフレーム１１００は、グラス装着部１２００と、ノーズパッド１３００および着用部１５００を含む。
【０１５５】
グラス装着部１２００は、上述の第１実施形態におけるグラス装着部２２０と類似しているため、本実施形態ではそれに対する詳細な説明は省略する。
【０１５６】
ノーズパッド１３００は、グラス装着部１２００の後面に装着される。ノーズパッド１３００はメガネ装置１０００の着用時にユーザの鼻の両側に支えとなるものとして、メガネ装置１０００を着用した後、メガネ装置１０００がずり落ちないようにする役割を担う。
【０１５７】
着用部１５００は、バンド部１６００と、第１胴体部１７００と、第１音響放出部１８００と、第２胴体部１９００および第２音響放出部２０００を含む。
【０１５８】
バンド部１６００は、上述の第１実施形態におけるバンド部２４０と類似しているため、本実施形態ではそれに対する詳細な説明は省略する。
【０１５９】
第１胴体部１７００は、バンド部１６００の一端に連結され、上述のオーディオモジュール２８０（図２を参照）の第２インターフェースモジュール２８２と、バッファユニット２８３と、制御部２８４およびオーディオ出力ユニット２８５が内蔵されてよい。これらの構成は、第１胴体部１７００および第２胴体部１９００の何れか一方に内蔵される。その他にも、これらの構成は第１胴体部および第２胴体部に各々分離されて内蔵されてよい。
【０１６０】
第１胴体部１７００は、第１保管溝１７６０および音量調節部１７８０を含む。
【０１６１】
第１保管溝１７６０は、第１音響放出部１８００が挿入されるように第１音響放出部１８００の形状に対応する溝形状を有する。
【０１６２】
第１音響放出部１８００は、第１ワイヤ（Ｗ１）を通じて第１胴体部１７００と連結される。第１音響放出部１８００は、上述のオーディオモジュール２８０（図２を参照）の第１出力部２８８−２が内蔵される。そして、第１音響放出部１８００は、ユーザにオーディオ音響を送ることができる第１音響放出孔１８１０を含み、ユーザの耳に挿入できるイヤホン形状を有する。
【０１６３】
音量調節部１７８０は、メガネ装置１０００のオーディオ音響の音量を調節するためのものとして、ユーザは音量調節部１７８０の操作を通じて所望の音量でオーディオ音響を聴取することができる。音量調節部１７８０は、一つのボタンで備えられ、両端の何れか片方は音量を上げ、もう片方は音量を下げられるように備えられる。それは、例示的なものだけでなく、音量調節部１７８０は二つ或いはその以上のボタンで備えられてよく、ボタンではない音量を調節できるその他の形態で備えれてよい。
【０１６４】
第２胴体部１９００は、バンド部１６００の他端に連結される。第２胴体部１９００は、上述のように、第２インターフェースモジュール２８２と、バッファユニット２８３と、制御部２８４およびオーディオ出力ユニット２８５が内蔵されてよく、何れか一つが内蔵されてよい。
【０１６５】
第２胴体部１９００は、保管溝１９６０と、電源／ペアリング部１９８０およびチャネル転換部１９９０を含む。
【０１６６】
第２保管溝１９６０は、第２音響放出部２０００が挿入できるように、第２音響放出部２０００の形状に対応する溝形態を有する。
【０１６７】
第２音響放出部２０００は、第２ワイヤ（Ｗ２）を通じて第２胴体部１９００と連結される。第２音響放出部２０００は、上述のオーディオモジュール２８０（図２を参照）の第２出力部２９０が内蔵される。そして、第２音響放出部２０００は、ユーザにオーディオ音響を送ることができる第２音響放出孔２０１０を含み、ユーザの耳に挿入できるイヤホン形状を有する。
【０１６８】
電源／ペアリング部１９８０は、メガネ装置１０００の電源をオン／オフしたり、ディスプレイ装置とのペアリングのためのものである。ユーザは、電源／ペアリング部１９８０の操作を通じてメガネ装置１０００電源をオン／オフさせることができ、ディスプレイ装置とぱあリング連結をさせることができる。
【０１６９】
チャネル転換部１９９０は、マルチビューモードの際、他のコンテンツへの切り替えのためのものである。ユーザがマルチビューモードで特定コンテンツを視聴している場合、メガネ装置１０００を着用したユーザはチャネル転換部１９９０の操作を通じてマルチビューモードの別の特定のコンテンツに転換することができる。本実施形態におけるチャネル転換部１９９０は、コンテンツ転換のための操作のために、第２胴体部１９００の長手方向に沿って移動できるように備えられる。それは例示的なものに過ぎず、チャネル転換部は、本実施形態の方式ではない他のコンテンツ転換を可能に操作できる形態（例えば、ボタンやトグルボタン等）で備えられることができる。
【０１７０】
一方、本実施形態においては、音量調節部１７８０が第１胴体部１７００に備えられ、電源／ペアリング部１９８０およびチャネル転換部１９９０が第２胴体部１９００に備えられるものとして説明したが、それに限定されるものではなく、音量調節部が第２胴体部に備えられ、電源／ペアリング部およびチャネル転換部が第１胴体部に備えられることも可能である。更に、電源／ペアリング部およびチャネル転換部は、第１および第２胴体部に分離されて備えられることも可能である。すなわち、音量調節部と、電源／ペアリング部およびチャネル転換部は、メガネ装置に備えられていれば十分である。なお、メガネ装置は図示はないが、他のメガネ装置の動作を制御する他のボタン部等が備えられてよい。
【０１７１】
図１８および図１９は、本発明の第５実施形態に係るメガネ装置の使用時および未使用時の様子を概略的に示す図である。
【０１７２】
図１８を参照すると、メガネ装置１０００の使用時、ユーザは、第１音響放出部１８００および第２音響放出部２０００を耳に着用してオーディオ音響を聴取する。第１音響放出部１８００および第２音響放出部２０００は、第１および第２ワイヤ（Ｗ１、Ｗ２）を通じて着用するユーザによって着用位置を適切に調節することができる。
【０１７３】
一方、第１音響放出部１８００には、第１ワイヤ（Ｗ１）が連結される第１ワイヤ連結部１８５０が形成される。第２音響放出部２０００には、第２ワイヤ（Ｗ２）が連結される第２ワイヤ連結部２０５０が形成される。そして、第１保管溝１７６０には、第１ワイヤ連結部１８５０が挿入される第１ワイヤ連結部挿入溝１７６２が形成される。第２保管溝１９６０には、第２ワイヤ連結部２０５０が挿入される第２ワイヤ連結部挿入溝１９６２が形成される。
【０１７４】
図１９を参照すると、メガネ装置１０００の未使用時、ユーザは、第１音響放出部１８００を第１胴体部１７００の第１保管溝１７６０に挿入し、第２音響放出部２０００を第２胴体部１９００の第２保管溝１９６０に挿入する。このとき、第１音響放出部１８００の第１ワイヤ連結部１８５０は、第１保管溝１７６０の第１ワイヤ連結部挿入溝１７６２に挿入される。第２音響放出部２０００の第２ワイヤ連結部２０５０は、第２保管溝１９６０の第２ワイヤ連結部挿入溝１９６２に挿入される。
【０１７５】
結局、本実施形態におけるメガネ装置１０００は、メガネ装置１００の未使用時、第１および第２音響放出部１８００、２０００を第１および第２胴体部１７００、１９００に形成された第１および第２保管溝１７６０、１９６０に挿入して保管することができる。それを通じて、本実施形態では、メガネ装置１０００の未使用時、メガネ装置１０００をきれいに保管することができる。なお、本実施形態では、メガネ装置１０００の未使用時、不注意等により、第１および第２音響放出部１８００、２０００が第１および第２胴体部１７００、１９００から離脱される等の破損の危険からメガネ装置１０００を保護することができる。
【０１７６】
上述のように、ディスプレイ装置は通常モードおよびマルチビューモードのうち選択されたモードで動作する。通常モードとは、一つのコンテンツを再生するモードであり、マルチビューモードとは、複数のコンテンツを同時に再生するモードである。通常モードで動作する場合には、ディスプレイ装置はコンテンツのオーディオ信号を本体に備えられたスピーカを通じて出力するが、マルチビューモードでは複数のコンテンツが再生されるため、本体スピーカを利用することは困難であった。それにより、マルチビューモードでは、複数のコンテンツの各々のオーディオ信号を各メガネ装置に提供し、各メガネ装置に備えられたオーディオ出力手段を通じて出力するように実現することができる。オーディオ信号の伝送方法は、実施形態によって多様に実現されてよい。以下では、オーディオ信号処理のためのディスプレイ装置およびメガネ装置の構成と動作に対して、実施形態別に具体的に説明する。
【０１７７】
図２０は、本発明の一実施形態に係るディスプレイ装置の構成を示すブロック図である。図２０に示すように、ディスプレイ装置２０００は、第１受信部２１００と、第１信号処理部２２００と、制御部２３００と、第２受信部２４００と、第２信号処理部２５００と、ディスプレイ部２６００と、スピーカ部２７００と、第１通信部２８００と、パケット化部２９５０および第２通信部２９００を含む。
【０１７８】
第１受信部２１００および第２受信部２４００は、多様なソースから互いに異なるコンテンツを受信するための構成要素である。一例として、第１受信部２１００および第２受信部２４００の何れか一方は、放送網を通じて伝送された放送コンテンツを受信するチューナで実現されてよく、ディスプレイ装置に内蔵されたり連結された保存媒体から読み取られたコンテンツを受信するインターフェースで実現されてよい。その他にも、ＩＰ通信網を通じてサーバ装置からコンテンツをストリーミングまたはダウンロードされたネットワークインターフェースカードを含んでよい。
【０１７９】
放送信号を受信する場合にも、受信部の構成は放送規格によって多様に設計されてよい。放送規格には、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、ＤＶＢ（Ｄｉｇｉｔａｌ  Ｖｉｄｅｏ  Ｂｒｏａｄｃａｓｔｉｎｇ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式等がある。第１および第２受信部２１００、２４００の構成および動作は、これら放送規格に応じて異なってよい。一例として、ＡＴＳＣ規格が採用された場合なら、第１および第２受信部２１００、２４００は、アンテナ、ＲＦダウンコンバータ、復調部、等化部、デマルチプレクサ、ＲＳデコーダ、デインターリーバ等を含んでよい。各放送規格別の信号送信および受信のための細部構成に対しては、各放送規格の標準文書にて具体的に開示しているため、具体的な図示および説明は省略する。制御部２３００は、マルチビューモードが実行されると、第１受信部２１００および第２受信部２４００を活性化させて各々の放送信号を受信するように制御する。
【０１８０】
第１受信部２１００で受信された放送信号、すなわち、第１コンテンツは第１信号処理部２２００に提供する。第１信号処理部２２００は、デマルチプレクサ１（２２１０）、ビデオ処理部１（２２２０）、オーディオ処理部１（２２３０）を含む。デマルチプレクサ１（２２１０）は、第１受信部２１００を介して受信された第１コンテンツをデマルチプレキシングしてビデオデータおよびオーディオデータを出力する。ビデオデータは、ビデオ処理部１（２２２０）に提供される。ビデオ処理部１（２２２０）は、ビデオデータに対してデコード、デインターリービング、スケーリング、フレームレート変換等のような多様なビデオ信号処理を行ってビデオフレームを生成する。オーディオ処理部１（２２３０）は、デマルチプレクサ１（２２１０）から出力されるオーディオデータに対してオーディオデコード、ノイズフィルタリング、増幅等のような多様なオーディオ信号処理を行ってオーディオ信号を生成する。
【０１８１】
第２受信部２４００から受信される放送信号、すなわち、第２コンテンツは第２信号処理部２５００に提供する。第２信号処理部２５００は、デマルチプレクサ２（２５１０）、ビデオ処理部２（２５２０）、オーディオ処理部２（２５３０）を含む。デマルチプレクサ２（２５１０）は、第２コンテンツをデマルチプレキシングしてビデオデータをビデオ処理部２（２５２）に提供し、オーディオデータをオーディオ処理部２（２５３０）に提供する。それにより、コンテンツ２に対するビデオフレームおよびオーディオ信号が生成されてよい。
【０１８２】
マルチビューモードで、ディスプレイ部２６００は、コンテンツ１のビデオフレームとコンテンツ２のビデオフレームを少なくとも一つのフレーム単位で交互にディスプレイする。
【０１８３】
制御部２３００は、コンテンツ１のビデオフレームのディスプレイタイミングおよびコンテンツ２のビデオフレームのディスプレイタイミングと、各メガネ装置の動作を同期化させるための同期化信号を生成し、第１通信部２８００を介して伝送する。第１通信部２８００は、上述のように、多様な通信規格によって通信を行うことができる。一例として、第１通信部２８００は、ブルートゥース方式で同期化信号を伝送  することができる。
【０１８４】
なお、制御部２３００は、マルチビューモードである場合、コンテンツ１、２のオーディオ信号を各々パケット化部２９５０に提供するように、オーディオ処理部１（２２３０）およびオーディオ処理部２（２５３０）を制御する。
【０１８５】
パケット化部２９５０は、各コンテンツのオーディオ信号をミキシングして通信パケットを生成する。第２通信部２９００は、パケット化部２９５０で生成した通信パケットを予め設定された周波数帯域を通じて伝送する。周波数帯域は、複数の候補帯域のうち一つに選択されてよい。例えば、２.４ＧＨｚ、５.２ＧＨｚ、５.５ＧＨｚのような周波数帯域のうち一つを任意に選択し、使用可能である場合は当該周波数帯域を通じて通信パケットを伝送することができる。
【０１８６】
図２１は、パケット化部２９５０で生成したパケットの構成を示す。図２１によると、コンテンツ１のオーディオ信号と、コンテンツ２のオーディオ信号が一つのパケット内のペイロード領域に記録されてよい。
【０１８７】
第２通信部２９００は、第１通信部２８００と異なる通信規格によって通信を行うことができる。一例として、第２通信部２９００はＲＦ通信モジュールで実現されてよい。この場合、第２通信部２９００は、パケット化部２９５０から生成したパケットをＲＦ信号に変調して伝送する。
【０１８８】
一方、制御部２３００は、通常モードで動作する場合には、第１受信部２１００および第２受信部２４００の何れか一方のみを活性化させて放送信号を受信することができる。第１受信部２１００が活性化されている場合、コンテンツ１のビデオデータは第１信号処理部２２００で処理されてディスプレイ部２６００に提供され、コンテンツ１のオーディオデータはスピーカ部２７００に提供される。制御部２３００は、モード選択によってスピーカ部２７００やパケット化部２９５０および第２通信部２９００を選択的に活性化させ、オーディオ信号を出力することができる。
【０１８９】
以上においては、複数のコンテンツのオーディオ信号が一つのパケットでパケット化されて送信される実施形態を説明したが、各コンテンツのオーディオ信号は異なるパケット形態でパケット化されて伝送されてよい。
【０１９０】
すなわち、マルチビューモードでパケット化部２９５０は、オーディオ処理部１（２２３０）から出力されるオーディオ信号とオーディオ処理部２（２５３０）から出力されるオーディオ信号を各々個別的にパケット化した後、同一の周波数帯域で時間差で交互に伝送することができる。
【０１９１】
図２２は、各コンテンツのオーディオ信号を異なるパケットで伝送する実施形態におけるパケット構成を示す。図２２によると、ｔ１時点ではコンテンツ１のオーディオデータを含む第１パケット１０が伝送され、ｔ２時点ではコンテンツ２のオーディオデータを含む第２パケット２０が伝送される。両パケットの伝送時間差はディスプレイ装置およびメガネ装置との間に公知されてよい。仮に、２.５ｍｓに設定されている場合、コンテンツ１を視聴するためのメガネ装置とコンテンツ２を視聴するためのメガネ装置は２.５ｍｓの時間差で繰り返しオーディオパケットを受信して処理する。
【０１９２】
または、複数のコンテンツのオーディオ信号は異なるパケットでパケット化された後、異なる周波数帯域のＲＦ信号に変調して出力することもできる。すなわち、第２通信部２９００は、コンテンツ１のオーディオ信号を含む第１パケットは、第１周波数帯域のＲＦ信号に変調し、コンテンツ２のオーディオ信号を含む第２パケットは、第２周波数帯域のＲＦ信号に変調し、各信号を時間差なしに出力されてよい。この場合、各ＲＦ信号の周波数情報は、第１通信部２８００によって伝送される同期化情報に含まれてよい。
【０１９３】
以上のように、オーディオ信号の伝送方式は、実施形態によって多様に実現されてよい。したがって、オーディオ信号を受信するメガネ装置の動作も実施形態によって異なってよい。
【０１９４】
図２３は、オーディオ信号を受信して処理するメガネ装置の別の構成例を示すブロック図である。図２３に示すように、メガネ装置３０００は、第１通信部３１００と、シャッタグラス駆動部３２００と、第１シャッタグラス３３００と、第２シャッタグラス３４００と、制御部２５００と、第２通信部３６００と、オーディオ処理部３７００およびオーディオ出力部３８００を含む。
【０１９５】
第１通信部３１００は、ディスプレイ装置で伝送する同期化信号を受信するための構成である。第１通信部３１００の構成および動作は、ディスプレイ装置が採用した通信規格によって異なってよい。仮に、ディスプレイ装置２０００が同期化信号をブルートゥース規格によって送信する場合には、第１通信部３１００はブルートゥースペアリングを行ってディスプレイ装置から同期化信号を受信する。
【０１９６】
シャッタグラス駆動部３２００は、同期化信号に応じて第１および第２シャッタグラス３３００、３４００を駆動させる。マルチビューモードである場合、シャッタグラス駆動部３２００は、メガネ装置が選択したコンテンツのフレームディスプレイタイミングに合わせて、第１および第２シャッタグラス３３００、３４００が同時にターンオンされるように駆動信号を印加する。一方、３Ｄモードである場合には、シャッタグラス駆動部３２００は左眼映像フレームのディスプレイタイミングに合わせて第１シャッタグラス３３００がターンオンされ、右眼映像フレームのディスプレイタイミングに合わせて第２シャッタグラス３４００がターンオンされるように駆動信号を交互に印加してよい。
【０１９７】
制御３５００は、ユーザの選択によってメガネ装置３０００の動作全般を制御する。一例として、メガネ装置３０００に備えられたボタンが選択される度にマルチビューモード、３Ｄモード等を交互に選択することができる。または、制御部３５００は、マルチビューモードでボタンが選択されると、ボタン選択の度に、第１および第２シャッタグラス３３００、３４００の駆動タイミングを調整して視聴可能なビューを変更することができる。
【０１９８】
第２通信部３６００は、ディスプレイ装置で伝送するオーディオ信号を受信する。第２通信部３６００は、ＲＦ通信モジュールで実現されてよいが、必ずしもそれに限定されるものではない。
【０１９９】
上述のように、オーディオ信号は多様な実施形態によって多様な方式で伝送される。一実施形態のように、複数のコンテンツのオーディオ信号が一つのパケットでパケット化されて伝送される場合、制御部３５００は受信されたパケットのペイロード領域内で予め設定された領域からコンテンツ１のオーディオデータまたはコンテンツ２のオーディオデータを選択的に検出して処理するように、オーディオ処理部３７００を制御する。すなわち、制御部３５００は、メガネ装置３０００がターンオンされると、上述の候補帯域を順次にスキャニングするように、第２通信部３６００を制御してオーディオパケット受信有無を確認する。オーディオパケットが受信されると、その制御部３５００はパケットヘッダ領域を確認し、ペイロード領域内で、シャッタグラス駆動部３２００が現在同期化されたコンテンツのオーディオデータが配置された領域を選択する。
【０２００】
オーディオ処理部３７００は、選択された領域に記録されたオーディオデータを処理して音響信号を生成する。生成された音響信号は、オーディオ出力部３８００によって出力される。オーディオ出力部３８００の形態および位置は、上述のように多様に実現されてよい。
【０２０１】
一方、別の実施形態によると、複数のコンテンツのオーディオ信号が各々個別的にパケットでパケット化されて伝送されてよい。
【０２０２】
図２４は、複数のパケットで伝送される実施形態におけるメガネ装置の動作を説明するための図である。図２４の（ａ）は、コンテンツ１のオーディオデータが載せられた第１パケットと、コンテンツ２のオーディオデータが載せられた第２パケットが交互に伝送されることを示す。
【０２０３】
制御部３５００は、メガネ装置がターンオンされると、スキャニングを行う。具体的には、第２通信部３６００が２.４ＧＨｚ、５.２ＧＨｚ、５.５ＧＨｚのような複数の候補帯域を順次に選局して信号を受信することができる。メガネ装置３０００がコンテンツ１に同期化された場合には、第１パケットの受信が確認された時点でスキャニングを終了する。仮に、第１パケットおよび第２パケットが、図２２に示すパケット形態である場合なら、制御部３５００は、第１パケットのヘッダまたはペイロード部分に記録された識別子に基づいて第１パケットが受信されたか否かを判断することができる。制御部３５００は、第１パケットおよび第２パケットの間の送信時間差を用いて一定の時間間隔毎に第２通信部３６００を活性化させることができる。上述のように、送信時間差に対する情報は、ディスプレイ装置およびメガネ装置が事前に予め共有し、各々保存しておくことができる。制御部３５００は、第１パケットの受信が確認された時点から第１パケットを受信し、次の第１パケットが受信されるまでは、第２通信部３６００を非活性化させてから、再び第１パケットが受信される時点で第２通信部３６００を活性化させることができる。
【０２０４】
別の実施形態によると、各コンテンツのオーディオデータは異なる周波数信号で伝送されてよい。制御部３５００は、第１通信部３１００から受信される同期化情報から各コンテンツに対応する周波数情報を確認することができる。それにより、現在同期化されたコンテンツに対応する周波数帯域を選局して信号を受信するように、第２通信部３６００を制御する。結果的に、第１および第２シャッタグラス３３００、３４００を介して見せられるコンテンツの映像フレームとオーディオデータが同期化されて提供されてよい。
【０２０５】
上述の多様な実施形態に係る同期化方法、オーディオ信号処理方法等は、ソフトウェアでコーディングされてよい。このようなソフトウェアは、非一時的な読み込み可能な媒体に記録され、ディスプレイ装置やメガネ装置等のような装置に使われてよい。
【０２０６】
非一時的な読み込み可能な媒体とは、レジスタやキャッシュ、メモリ等のように、短い間データを保存する媒体ではなく、半永久的にデータを保存し、機器によって読み込み（Ｒｅａｄｉｎｇ）可能な媒体を意味する。具体的には、上述のプログラムは、ＣＤやＤＶＤ、ハードディスク、ブルーレイディスク、ＵＳＢ、メモリカード、ＲＯＭ等のような非一時的な読み込み可能な媒体に保存されて提供されてよい。
【０２０７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０２０８】
１００：ディスプレイ装置
２００：メガネ装置
２１０：メガネフレーム
２２０：グラス装着部
２２２：第１グラス
２２４：第２グラス
２３０：着用部
２３３：第１音響放出孔
２３５：第２音響放出孔
２４０：バンド部
２５０：第１内蔵部
２５２：第１胴体部
２５４：第１音響放出部
２６０：第２内蔵部
２６２：第２胴体部
２６４：第２音響放出部
２７１  入力部
２７２  処理部
２７３  第１インターフェースモジュール
２７３−１  インターフェース部
２７３−２  受信部
２７４  映像データ処理部
２７６  シャッタグラス部
２７６−１  シャッタグラス駆動部
２７６−２  第１シャッタグラス部
２７６−３  第２シャッタグラス部
２７８  電源部
２８０：オーディオモジュール
２８２  第２インターフェースモジュール
２８２−１  インターフェース部
２８２−２  受信部
２８３  バッファユニット
２８４  制御部
２８５  オーディオ出力ユニット
２８６  オーディオデータ処理部
２８７  出力部
２８８−１  第１駆動部
２８８−２  第１出力部
２８９−１  第２駆動部
２８９−２  第２出力部
３００：メガネ装置
３１０：メガネフレーム
３２０：グラス装着部
３２２：第１グラス
３２４：第２グラス
３３０：着用部
３３３：第１音響放出孔
３３５：第２音響放出孔
３４０：バンド部
３５０：第１内蔵部
３５２：第１胴体部
３５４：第１音響放出部
３６０：第２内蔵部
３６２：第２胴体部
３６４：第２音響放出部
４００：メガネ装置
４１０：メガネフレーム
４２０：グラス装着部
４２２：第１グラス
４２４：第２グラス
４３０：着用部
４３３：第１音響放出孔
４３５：第２音響放出孔
４４０：バンド部
４５０：第１内蔵部
４５２：第１胴体部
４５４：第１連結口
４５６：第１挿入口
４６０：第２内蔵部
４６２：第２胴体部
４６４：第２連結口
４６６：第２挿入口
５００：メガネ装置
５１０：メガネフレーム
５２０：グラス装着部
５３０：着用部
５４０：バンド部
５６０：第１および第２内蔵部
５６４：第１および第２音響放出部
５６６：第１および第２挿入口
６００：メガネ装置
６１０：装着部
７００：オーディオ出力装置
７１０：連結部
８００：メガネ装置
９００：オーディオ出力装置
９１０：連結部
２１００  第１受信部
２２１０  デマルチプレクサ１
２２２０  ビデオ処理部１
２２３０  オーディオ処理部１
２３００  制御部
２４００  第２受信部
２５１０  デマルチプレクサ２
２５２０  ビデオ処理部２
２５３０  オーディオ処理部２
２６００  ディスプレイ部
２７００  スピーカ部
２８００  第１通信部
２９００  第２通信部
２９５０  パケット化部
３１００  第１通信部
３２００  シャッタグラス駆動部
３３００  第１シャッタグラス
３４００  第２シャッタグラス
３５００  制御部
３６００  第２通信部
３７００  オーディオ処理部
３８００  オーディオ出力部
【図１】
0005856090.tif 000002
【図２】
0005856090.tif 000003
【図３】
0005856090.tif 000004
【図４】
0005856090.tif 000005
【図５】
0005856090.tif 000006
【図６】
0005856090.tif 000007
【図７】
0005856090.tif 000008
【図８】
0005856090.tif 000009
【図９】
0005856090.tif 000010
【図１０】
0005856090.tif 000011
【図１１】
0005856090.tif 000012
【図１２】
0005856090.tif 000013
【図１３】
0005856090.tif 000014
【図１４】
0005856090.tif 000015
【図１５】
0005856090.tif 000016
【図１６】
0005856090.tif 000017
【図１７】
0005856090.tif 000018
【図１８】
0005856090.tif 000019
【図１９】
0005856090.tif 000020
【図２０】
0005856090.tif 000021
【図２１】
0005856090.tif 000022
【図２２】
0005856090.tif 000023
【図２３】
0005856090.tif 000024
【図２４】
0005856090.tif 000025